(57)【要約】  本発明は環境に影響を与える装置を調整するための制御システムとのマンマシン通信を保守するためのインタフェースに関するものであって、操作中に与えられたユーザ命令が少なくとも１つの予め規定された変換モデルに従ってこれらの装置の設定に変換され、この変換モデルが３次元であり、予め規定された環境の態様を参照するパラメータ軸を有し、またこの変換モデルが環境の態様にふさわしい個別の値を有し、このモデルが前記個別の値間で連続的ではっきりした相互関係を提供し、その装置の態様の前記の値と与えられたユーザ命令とに応じてユーザ命令をその結果として起こる装置の設定にリンクする。【選択図】図１
2007528072.tif 000002
【特許請求の範囲】
【請求項１】
環境に影響を与える装置を調整するための制御システムとのマンマシン通信を保守するためのインタフェースであって、操作中に与えられたユーザ命令が少なくとも１つの予め規定された変換モデルに従ってこれらの装置の設定に変換され、この変換モデルが３次元であり、予め規定された環境の態様を参照するパラメータ軸を有し、またこの変換モデルが環境の態様にふさわしい個別の値を有し、このモデルが前記個別の値間で連続的ではっきりした相互関係を提供し、その装置の態様の前記の値と与えられたユーザ命令とに応じてユーザ命令をその結果として起こる装置の設定にリンクすることを特徴とするインタフェース。
【請求項２】
少なくとも１つの変換モデルが暖かさ、注意および活動のパラメータ軸を有することを特徴とする請求項１に記載のインタフェース。
【請求項３】
一群の変換モデルがあり、ユーザがこの群から選択的に１つの変換モデルを有効にできることを特徴とする請求項１または２に記載のインタフェース。
【請求項４】
変換モデルの群の少なくとも１つの変換モデルが雰囲気、場合、民族性、地理的起源を含む群からの選択により決定される、予め規定された性質を持つことを特徴とする請求項１から３のいずれか一項に記載のインタフェース。
【請求項５】
少なくとも１つの変換モデルが調整可能であることを特徴とする請求項１から４のいずれか一項に記載のインタフェース。
【請求項６】
音声によるユーザ命令のための音声認識装置を備えることを特徴とする請求項１から５のいずれか一項に記載のインタフェース。
【請求項７】
ユーザ命令が与えられたあと結果として起こる、環境に影響を与える機器の設定を表示するために、表示のための出力装置に接続できることを特徴とする請求項１から６のいずれか一項に記載のインタフェース。
【発明の詳細な説明】
【技術分野】
【０００１】
本発明は環境に影響を与える装置を調整するための制御システムとのマンマシン通信を保守するためのインタフェースに関するもので、その際に操作中に与えられたユーザ命令が少なくとも１つの予め規定された変換モデルに従ってこれらの装置の設定に変換される。
【背景技術】
【０００２】
このようなインタフェースは特許文献１および特許文献２から知られている。この知られているインタフェースは基本的にコンピュータ化したスイッチシステムに関する。
【０００３】
このようなインタフェースはまた２００３年7月１８日付のｈａａｇｓｅ  ｃｏｕｒａｎｔ （ハーグの新聞）からも知られている。
【０００４】
前記Ｈａａｇｓｅ  ｃｏｕｒａｎｔでは”Ｓｐａ  ｔｏ  ｓｔｉｍｕｌａｔｅ  ｍｅｅｔｉｎｇ  ａｄｄｉｃｔｓ”という見出しのもとに、ユーザが意図的に色彩を変更することができ、いろいろな香りを得ることができ、また予め規定した音楽を演奏することができる会議室が公開されている。
【０００５】
制御装置を用いて、この環境に影響を与える装置は６種の予め規定した環境を選択するように調整できる。会議の議長は、アイデア形成、交渉、理解を深める、くつろぎ、意志決定、やる気を起こさせるなど会議進行のいろいろな局面に関連して、目的達成のためにいろいろな光、音楽、香りおよび投射スクリーン上の適切な映像を用いることができる。このさまざまな雰囲気は選択した飲食物により補完することができる。
【特許文献１】ＥＰ-Ａ-０,４９５,３０５
【特許文献２】ＵＳ-Ａ-５,０８６,３８５
【発明の開示】
【発明が解決しようとする課題】
【０００６】
この知られているインタフェースの欠点は6種の予め規定された雰囲気の間で違いを出すだけであり、したがってユーザの要求に最適に適合させることが必ずしも可能ではないことである。
【課題を解決するための手段】
【０００７】
本発明の目的は実際に存在する要求によりよく合致する、知られているインタフェースの改良型を提供し、それによって以下に明らかにする優位性を達成することである。
【０００８】
これらの優位性には特にユーザの個性に合わせて調整できるもっと自然で簡単なマンマシン通信を含む。
【０００９】
その目的を達成するために本発明によるインタフェースは１つあるいは複数の請求項による特徴を持つ。
【００１０】
本発明の最初の態様において、このインタフェースは、この変換モデルが予め規定された環境の態様を参照するパラメータ軸を有する３次元であり、またこの変換モデルが環境の態様にふさわしい個別の値を有し、このモデルが前記個別の値間で連続的ではっきりした相互関係を提供し、その装置の態様の前記の値と与えられたユーザ命令とに応じてユーザ命令をその結果として起こる装置の設定にリンクすることを特徴とする。
【００１１】
この変換モデルを３次元的に具現化することは、ユーザが知覚する環境世界とのもっと透明で効果的な結合の制御を提供する。
【００１２】
変換モデルはパラメータ軸が暖かさ、注意および活動変数に対して提供されるように具現化されるのが好ましい。効果的に動作するシステムを与えるのは特にこれらのパラメータである。
【００１３】
本発明によるこのインタフェースにより、ユーザは環境を正確にまたなによりも簡単にいかなる時でもユーザの必要に合わせて調整することができる。居間に据え付けたとき、ユーザはプリセットした雰囲気を選択することができるが、設定を組み合わせてどのような新しい組み合わせを作ることも可能である。たとえばユーザはロマンチックな雰囲気を選択することができ、その次に「より暖かい」雰囲気を求めることができる。変換モデルはそのとき利用可能な内容を新しい雰囲気設定に組み合わせる。
【００１４】
一群の変換モデルがあってユーザがこの群から１つの変換モデルを選択して有効にすることができるという事は、本発明によるインタフェースの適用性の範囲を拡大するのに役立つ。
【００１５】
さらに一群の変換モデルの少なくとも１つの変換モデルが、雰囲気、場合、民族性、地理的起源を含む群からの選択により決定される、予め規定された性質を持つということは有利である。
【００１６】
ユーザの必要とする雰囲気に正確に調整したいという要望に効果的に応じることができるためには、少なくとも１つの変換モデルが調整可能でなければならない。この方法によってユーザは環境に影響を与える装置の設定をその場合ごとの必要に応じて調整し、いわばそれを個人化することができる。
【００１７】
本発明によるさらに使いやすいインタフェースとして、ユーザ命令を与えたあと続いて起こる環境に影響を与える装置の設定を表示するために本インタフェースを出力装置に接続することができる。
【発明を実施するための最良の形態】
【００１８】
以下に本発明を実施例と図面を参照して詳しく説明するが、これは添付の請求項を限定するものではない。
【００１９】
この図面は本発明によるインタフェ―スを、周辺機器を含んで概略的に説明する１枚の図を示す。
【００２０】
本発明によるインタフェースはユーザが環境に影響する多数の装置、たとえばビデオシステム、オーディオシステムおよび照明システムを迅速に調整するのに役立つ。これらのシステムはすべて希望する雰囲気に貢献することができる。本発明によるインタフェースは、周辺機器のマネージメントにも使えるが、主として希望する雰囲気を創出することを意図している。
【００２１】
本発明によるインタフェースは、雰囲気、場合および民族的あるいは地理的に関連する背景のようないくつかの主題を提供することができる。このような各主題について別々の変換モデルを提供できるが、その際にユーザ命令と環境に影響を与える装置の設定の調整との間の変化関係は固定されている。
【００２２】
図１は本発明によるインタフェース１を示すが、これは入力側に音声認識装置２、たとえばキーボードの形をした有形のインタフェース、光線のスイッチ４および図形ユーザインタフェースを備えている。この周辺機器２−５を用いて、インタフェース１を操作および制御でき、創出する雰囲気間のナビゲーションができる。出力側でインタフェース１はビデオ発生器６、光線制御器７およびオーディオプレーヤ８を制御する。このビデオ発生器６はビデオファイルを読んで操作し、ビデオ信号をビデオプロジェクタ９に送る。光線制御器７は環境条件がインタフェースにより影響を受ける部屋の光線を制御し、適切な命令を調光器１０に伝送する。オーディオプレーヤ８にはオーディオサラウンドシステム１１が接続されている。
【００２３】
音声認識装置２はさらに話された言葉を予め規定された語の命令に従って対話マネージャ１２に変換する役目をし、それによってインタフェース１が制御される。この目的を支援するため、「言いたいこと」発生器１３があり、これは可能な音声による命令を、図形表示ユニット１４を介して視覚化する。
【００２４】
このインタフェース１は変換モデルを提供し、それによってこのインタフェースに接続された環境に影響を与える装置６，７および８を動的に制御することが可能である。ユーザは単に、暖かさ、注意および活動のパラメータ軸を持つ変換モデルによって作られる３次元空間をナビゲーションするだけでよい。
【００２５】
さらにユーザは、環境に影響を与える装置６、７および８を決める媒体内容を追加、移動あるいは削除することによって、変換モデルを個人化できる。
【００２６】
さらにユーザは使用する変換モデルに自分の名前を与えることができる。
【００２７】
言うまでもなくインタフェース１は常に接続されている装置６，７および８の状態を発生する音、光線の設定、有効なビデオ上映に関して意識している。インタフェース１はまた監視をし、必要な場合特定の変換モデル中にユーザが実現した変更、付加あるいは細工した所を保存する。
【００２８】
インタフェース１は好ましくは曜日、時刻、季節、日付および任意で現在のユーザの数、および彼らが従事している活動を記録するためのユニットを備える。この後の目的のためにたとえばオーガナイザを備え、インタフェ―ス１に接続してもよい。
【００２９】
最後にインタフェース１は、ユーザが命令を与えたあと環境に影響を与える機器の結果として起こる設定を表示するために、監視装置あるいは表示装置のような出力装置に接続できることが望ましい。
【図面の簡単な説明】
【００３０】
【図１】この図は、インタフェースの説明図である。
【図１】
2007528072.tif 000003
【国際調査報告】
2007528072.tif 000004
2007528072.tif 000005